(57)【要約】【課題】ヘッドセットを耳介に対して確実に装着可能であり、且つ、レシーバ部で再生される音を良好に聞き取り可能なヘッドセットを提供する。【解決手段】略平坦面２ａを有する筐体１に、マイク部１５とレシーバ部１４とバッテリ部１２と無線通信部１３とを設けた本体部４と、略平坦面２ａから突出する突出部１１とを備え、突出部１１の先端に装着されたレシーバ部１４のイヤパッド部１７が外耳道内に挿入されるように構成されたヘッドセットであって、イヤパッド部１７よりも本体部４側の突出部に、耳珠及び対珠よりも内側の耳甲介腔の内壁に弾接係止される係止部１６を備え、イヤパッド部１７は、外耳道の内壁に密着するように弾性変形可能な耳栓型である。【選択図】図１
2008092356.tif 000002
【特許請求の範囲】
【請求項１】
略平坦面を有する筐体に、マイク部とレシーバ部とバッテリ部と無線通信部とを設けた本体部と、当該略平坦面から突出する突出部とを備え、当該突出部の先端部に装着された前記レシーバ部のイヤパッド部が外耳道内に挿入されるように構成されたヘッドセットであって、
前記イヤパッド部よりも前記本体部側の前記突出部に、耳珠及び対珠よりも内側の耳甲介腔の内壁に弾接係止される係止部を備え、
前記イヤパッド部は、外耳道の内壁に密着するように弾性変形可能な耳栓型であるヘッドセット。
【請求項２】
前記係止部及び前記突出部は相対回転可能に構成され、
前記係止部の回転軸は、当該係止部の中央部から偏心した位置にある請求項１記載のヘッドセット。
【請求項３】
前記係止部は、外縁部を除く位置に肉抜き部を有する請求項１又は２記載のヘッドセット。
【発明の詳細な説明】
【技術分野】
【０００１】
本発明は、略平坦面を有する筐体に、マイク部とレシーバ部とバッテリ部と無線通信部とを設けた本体部と、当該略平坦面から突出する突出部とを備え、当該突出部の先端部に装着された前記レシーバ部のイヤパッド部が外耳道内に挿入されるように構成されたヘッドセットに関する。
【背景技術】
【０００２】
携帯電話等での通話をハンズフリーで行えるようにした通話用のヘッドセットが提案されている。特に、ヘッドセットをブルートゥース：Ｂｌｕｅｔｏｏｔｈ（登録商標）技術などの短距離無線通信技術を用いてワイヤレスに構成したものもある。例えば、特許文献１に記載のヘッドセットは、略平坦面を有する筐体に、マイク部とレシーバ部とバッテリ部と無線通信部とを設けた本体部と、略平坦面から突出する突出部とを備える。そして、その突出部の先端部に装着されたレシーバ部のイヤパッド部が耳甲介腔内に設置されるように構成されている。このように、ヘッドセットをワイヤレスに構成すると、マイク部とレシーバ部とバッテリ部と無線通信部などの多数の部品によってそれ自体の重量が大きくなるのだが、特許文献１に記載のヘッドセットでは、イヤパッド部が耳珠及び対珠の耳甲介腔の内壁に係止されることで、ヘッドセットが耳介から脱落し難くなる。
【０００３】
【特許文献１】実用新案登録第３１０５９３４号公報
【発明の開示】
【発明が解決しようとする課題】
【０００４】
特許文献１に記載のヘッドセットでは、イヤパッド部が耳珠及び対珠の耳甲介腔の内壁に係止されるため、外耳道はイヤパッド部によって完全に閉止されずに大きな隙間が生じることとなる。その結果、レシーバ部で再生される音声がイヤパッド部よりも外部に漏れ易くなり、且つ、外部からの音声の遮断もイヤパッド部によって良好に行われなくなる。つまり、使用者にとって、レシーバ部で再生される音声が聞き取り難くなるという問題がある。また、特許文献１に記載のイヤパッド部を耳介に装着したとしても、レシーバ部が外耳道へ向いた状態で係止されるとは限らないので、再生される音声が聞き取り難くなる可能性がある。
ここで、イヤパッド部を、外耳道の内壁に密着するように弾性変形可能な耳栓型に改変する構成も想定できるが、その場合には、イヤパッド部だけで重量の大きなヘッドセットが耳介から脱落しないようにすることは困難である。特に、ヘッドセットを耳介に装着した状態で頭部を動かした場合にはヘッドセットは脱落し易くなる。
【０００５】
本発明は、上記の課題に鑑みてなされたものであり、その目的は、ヘッドセットを耳介に対して確実に装着可能であり、且つ、レシーバ部で再生される音を良好に聞き取り可能なヘッドセットを提供する点にある。
【課題を解決するための手段】
【０００６】
上記目的を達成するための本発明に係るヘッドセットの特徴構成は、略平坦面を有する筐体に、マイク部とレシーバ部とバッテリ部と無線通信部とを設けた本体部と、当該略平坦面から突出する突出部とを備え、当該突出部の先端部に装着された前記レシーバ部のイヤパッド部が外耳道内に挿入されるように構成されたヘッドセットであって、
前記イヤパッド部よりも前記本体部側の前記突出部に、耳珠及び対珠よりも内側の耳甲介腔の内壁に弾接係止される係止部を備え、
前記イヤパッド部は、外耳道の内壁に密着するように弾性変形可能な耳栓型である点にある。
【０００７】
上記特徴構成によれば、イヤパッド部が耳栓型であるので、音が外部に漏れ難くなり、且つ、外部からの音の遮断が良好に行われる。また、本体部にはマイク部、レシーバ部、バッテリ部及び無線通信部などが設けられているので重量もあるが、耳珠及び対珠よりも内側の耳甲介腔の内壁に弾接係止される係止部が設けられているので、イヤパッド部が外耳道内に密着して挿入された状態を維持しつつ、ヘッドセットが耳介から脱落しないようにできる。また、ヘッドセットの使用者の耳介や頬などに当接するのは本体部の略平坦面であるので、ヘッドセットが耳介や頬に対して安定して接触することになる。
従って、ヘッドセットを耳介に対して確実に装着可能であり、且つ、レシーバ部で再生される音を良好に聞き取り可能なヘッドセットを提供できる。
【０００８】
本発明に係るヘッドセットの別の特徴構成は、前記係止部及び前記突出部は相対回転可能に構成され、
前記係止部の回転軸は、当該係止部の中央部から偏心した位置にある点にある。
【０００９】
上記特徴構成によれば、回転軸を基準として係止部の形状を捉えると、係止部は、回転軸から一方向に張り出した形状をしている。つまり、イヤパッド部を外耳道の内壁に対して良好に密着させると共に、係止部を回転軸から一方向に張り出させて耳甲介腔の内壁に弾性変形しながら押し当てることができる。このとき、係止部と突出部とは相対回転であるので、イヤパッド部が外耳道内に密着して挿入された状態を維持しながら、係止部が耳甲介腔内の形状に応じてその耳甲介腔の内壁に対して良好に密着するような位置関係に係止部を回転させることができる。
【００１０】
本発明に係るヘッドセットの別の特徴構成は、前記係止部は、外縁部を除く位置に肉抜き部を有する点にある。
【００１１】
上記特徴構成によれば、上記肉抜き部が形成されていることで、係止部が耳甲介腔の内壁に対して密着するとき、その耳甲介腔の内壁の形状に密着するように弾性変形し易くなる。その結果、係止部が耳甲介腔の内壁に対して良好に密着するようになる。また、使用者にとって耳甲介腔内への係止部の嵌め心地も良好になる。
【発明を実施するための最良の形態】
【００１２】
以下に図面を参照して本発明に係るヘッドセットについて説明する。
図１は、ヘッドセットの分解斜視図である。また、図２（ａ）は、ヘッドセットの側面図であり、図２（ｂ）はヘッドセットの上面図である。図１及び図２に示すように、ヘッドセットは、略平坦面２ａを有する筐体１に、マイク部１５とレシーバ部１４とバッテリ部１２と無線通信部１３とを設けた本体部４を備える。そして、外部から無線通信部１３を介して受信した音声信号をレシーバ部１４を用いて出力し、マイク部１５を用いて受信した音声を音声信号に変換して無線通信部１３を介して外部に送信する。無線通信部１３は、ブルートゥース（登録商標）技術などの短距離無線通信技術を利用して外部装置と無線通信可能に構成されている。
【００１３】
本体部４が有する筐体１は、第１部材２と第２部材３とで構成される。そして、第１部材２及び第２部材３を互いに組み付けることによって形成される筐体１内に上記各種部品が収容されている。本実施形態では、筐体１の略平坦面２ａは楕円形や長方形などに近い形状に形成されている。また、上述したマイク部１５、レシーバ部１４、バッテリ部１２及び無線通信部１３の他に、電源スイッチ部１８、ボリュームスイッチ部１９及び基板アセンブリ１０も筐体１内に収容されている。更に、マイク部１５も、電源スイッチ部１８の近傍、即ち、上記レシーバ用貫通孔２ｂが形成されているのとは逆の端部の筐体１内に収容されている。そして、使用者が押しボタン式の電源スイッチ部１８をオン操作するとバッテリから供給される電力によってヘッドセットが動作状態になり、電源スイッチ部１８をオフ操作するとヘッドセットが停止状態になる。
【００１４】
ヘッドセットの動作状態において、無線通信部１３が外部から音声信号を受信すると、基板アセンブリ１０に搭載されている演算処理装置（図示せず）などによってその音声信号は演算処理される。その後、レシーバ部１４において音声信号が音声に変換されて出力される。また、マイク部１５が使用者から発せられた音声などを受信し、音声信号に変換すると、基板アセンブリ１０に搭載されている演算処理装置などによってその音声信号は演算処理される。その後、無線通信部１３によって音声信号が外部に送信される。
【００１５】
また、筐体１の第１部材２の側面には切欠き部２ｄが設けられる。第１部材２と第２部材３とが組み付けられたとき、この切欠き部２ｄには、基板アセンブリ１０と接続されるボリュームスイッチ部１９が配置される。そして、使用者がこのボリュームスイッチ部１９を操作すると、レシーバ部１４から出力される音量が変化する。
【００１６】
更に、ヘッドセットは、筐体１の略平坦面２ａからレシーバ用貫通孔２ｂを通って外部に突出する突出部としてのレシーバジョイント１１を備える。このレシーバジョイント１１はレシーバ部１４の一部分であり、筐体１内に位置する根元部１１ａと、筐体１外に突出する中間部１１ｂ及び先端部１１ｃとで構成される。そして、根元部１１ａが筐体１の内側からレシーバ用貫通孔２ｂに嵌め合わされることで、レシーバジョイント１１が本体部４に対して固定される。本実施形態では、レシーバ用貫通孔２ｂは、略平坦面２ａの長軸に沿った方向の端部に形成されている。また、電源スイッチ用貫通孔２ｃは、略平坦面２ａの長軸に沿った方向の、上記レシーバ用貫通孔２ｂが形成されているのとは逆の端部に形成されている。そして、電源スイッチ部１８が筐体１の内部から外部に向けて電源スイッチ用貫通孔２ｃを介して露出する。
【００１７】
レシーバジョイント１１の根元部１１ａには、上述した音声を出力するレシーバ部１４が配置されている。また、レシーバジョイント１１の先端部１１ｃには、レシーバ部１４のイヤパッド部１７が装着される。このイヤパッド部１７は、弾性変形可能なエラストマー等の樹脂材料で形成され、外耳道内に挿入されたとき外耳道の内壁に密着する耳栓型（カナル型）である。
更に、レシーバジョイント１１の中間部１１ｂには、つまり、イヤパッド部１７よりも本体部４側のレシーバジョイント１１には、耳珠及び対珠よりも内側の耳甲介腔の内壁に弾接係止される係止部１６が設けられている。係止部１６もエラストマー等の樹脂材料で形成される。
【００１８】
図３は、係止部１６とレシーバジョイント１１とを相対回転可能とするための係止部１６及びレシーバジョイント１１の詳細な構造を示す図である。また、図４は、係止部１６の回転状態を示す図であり、図４に示すように、係止部１６及びレシーバジョイント１１は相対回転可能に構成されている。具体的には、図２及び図３に示すように、係止部１６の中央部から偏心した位置には貫通孔１６ｅが形成され、この貫通孔１６ｅの中心が係止部１６の回転軸Ｏとなる。そして、この貫通孔１６ｅにレシーバジョイント１１が挿入され、係止部１６の貫通孔１６ｅとレシーバジョイント１１の中間部１１ｂとが互いに回転摺動可能に組み付けられる。
【００１９】
また、レシーバジョイント１１の中間部１１ｂの外周面の一部にはリブ１１ｄが形成される。加えて、係止部１６の貫通孔１６ｅの内周面の一部にはストッパ１６ｃ、１６ｄで両端面が規定される溝１６ｂが形成される。そして、係止部１６とレシーバジョイント１１とが組み付けられると、係止部１６の溝１６ｂ内にレシーバジョイント１１のリブ１１ｄが入り込むようになる。そして、係止部１６は、ストッパ１６ｃ又はストッパ１６ｄとリブ１１ｄとが当接するまでは相対回転可能となる。つまり、レシーバジョイント１１のリブ１１ｄは係止部１６の溝１６ｂ内を摺動可能であるが、その摺動範囲はストッパ１６ｃ、１６ｄで制限される。以上のように、係止部１６とレシーバジョイント１１とは互いに相対回転可能であり、その相対回転範囲は設定範囲内に制限される。本実施形態では、図４（ａ）に示すような反時計回り方向への約６０°回転、及び、図４（ｂ）に示すような時計回り方向への約６０°回転、即ち、合計で約１２０°の角度範囲内で係止部１６とレシーバジョイント１１とは相対回転可能である。よって、このヘッドセットは、人体の左右の耳のどちらにも同様に装着されるようになる。ちなみに、ヘッドセットを左耳に装着するときには、係止部１６を図４（ａ）に示したような反時計周り方向に回転させればよく、ヘッドセットを右耳に装着するときには、係止部１６を図４（ｂ）に示したような時計回り方向に回転させればよい。更に、レシーバジョイント１１のリブ１１ｄと係止部１６の溝１６ｂとの間には摩擦抵抗が存在するので、レシーバジョイント１１と係止部１６との相対回転はその摩擦抵抗によって固定されることになる。
【００２０】
上述のように、係止部１６の回転軸Ｏは、係止部１６の中央部から偏心した位置にある。つまり、回転軸Ｏを基準として係止部１６の形状を捉えると、係止部１６は、回転軸Ｏから一方向に張り出した形状をしている。よって、係止部１６は、一方向に張り出して耳甲介腔の内壁に押し当てられることになる。そして、係止部１６の張り出し部１６ｆには、係止部１６の表裏を貫通する肉抜き部１６ａが形成されている。このように、係止部１６の外縁部を除く位置に肉抜き部１６ａが形成される、特に複数の肉抜き部１６ａが形成されることで、係止部１６は耳甲介腔の内壁に密着するような形状に弾性変形し易くなる。加えて、図示したように、係止部１６は、複数の肉抜き部１６ａの間に連結支持部１６ｇを備えていることが好ましい。この連結支持部１６ｇは、係止部１６の張り出し部１６ｆの過大変形や経時劣化による弾性力低下を阻止する機能を発揮する。よって、係止部１６が耳甲介腔内に挿入されたときの係止部１６の弾接係止力は良好に維持される。その結果、耳甲介腔内への係止部１６の嵌め心地を損なうことなく、係止部１６が耳甲介腔の内壁に対して弾性変形しながら接し、そして係止されるようになる。また、係止部１６の外形は、耳珠及び対珠よりも内側の耳甲介腔の内壁に弾接係止されるような形状であれば適宜変更可能である。
【００２１】
図５は、人体へのヘッドセットの装着状態を説明する図である。また、図６（ａ）はヘッドセットが耳介Ａに装着されたときの係止部１６の位置を説明する側面図であり、図６（ｂ）はヘッドセットが耳介Ａに装着されたときのイヤパッド部１７、係止部１６、レシーバジョイント１１及び本体部４の位置を説明する部分断面図である。図５及び図６に示すように、本発明のヘッドセットを耳介Ａに対して装着するとき、耳栓型のイヤパッド部１７は外耳道Ｅの内壁に密着するように挿入され、係止部１６は耳珠Ｂ及び対珠Ｃの内側の耳甲介腔Ｄの内壁に弾接係止される。よって、イヤパッド部１７が耳栓型であるので、音が外部に漏れ難くなり、且つ、外部からの音の遮断が良好に行われる。また、本体部４にはマイク部１５、レシーバ部１４、バッテリ部１２及び無線通信部１３などが設けられているので重量もあるが、耳珠Ｂ及び対珠Ｃの内側の耳甲介腔Ｄの内壁に弾接係止される係止部１６が設けられているので、イヤパッド部１７が外耳道Ｅ内に挿入された状態を維持しつつ、ヘッドセットが耳から脱落しないようにできる。
【００２２】
更に、係止部１６はレシーバジョイント１１に対して回転可能であるので、イヤパッド部１７が外耳道Ｅ内に挿入された状態を維持しながら、係止部１６が耳甲介腔Ｄの内壁の形状に応じてその耳甲介腔Ｄの内壁に対して良好に密着するような位置関係に回転させることができる。また、レシーバジョイント１１及び本体部４は係止部１６に対して回転可能である。よって、イヤパッド部１７及び係止部１６が外耳道Ｅ及び耳甲介腔Ｄ内で正常に設置された状態を維持しながら、本体部４の端部に収容されているマイク部１５が使用者の口元へ向くように細かく回転させて、使用者が発する音声の集音が良好に行われるようにできる。
【００２３】
また、本実施形態では、筐体１の略平坦面２ａの長軸に沿った方向の端部に上記レシーバ用貫通孔２ｂが形成されている。つまり、レシーバ用貫通孔２ｂを基準として略平坦面２ａの形状を捉えると、略平坦面２ｂは、レシーバ用貫通孔２ｂから一方向に張り出した形状をしている。そして、その張り出した部分が使用者の耳介Ａや頬などに良好に接着するようになるので、耳介Ａへのヘッドセットの装着状態が安定することになる。
また、図１、図２（ａ）及び図６（ｂ）などに示すようにレシーバジョイント１１は屈曲しているので、そのレシーバジョイント１１に装着されている係止部１６の回転軸Ｏとイヤパッド部１７の中心軸とが傾斜するようになっている。本実施形態では、係止部１６の回転軸Ｏとイヤパッド部１７の中心軸との傾斜角Ｘは約１２°に設計されている。このように構成することで、図６（ｂ）に示したように、レシーバジョイント１１の先端部１１ｃに装着されたイヤパッド部１７が外耳道Ｅ内に密着して挿入された状態で、筐体１の略平坦面２ｂが使用者の耳介Ａや頬に良好に接触できるようになる。
【００２４】
＜別実施形態＞
＜１＞
上記実施形態では、係止部１６とレシーバジョイント１１とが、図４（ａ）に例示したような反時計回り方向への約６０°回転、及び、図４（ｂ）に例示したような時計回り方向への約６０°回転、即ち、合計で約１２０°の角度範囲内で係止部１６とレシーバジョイント１１とは相対回転可能であるように構成されていたが、この相対回転の角度範囲は係止部１６に形成された溝１６ｂの形状変更などを行うことで適宜改変可能である。
【００２５】
＜２＞
上記実施形態では、係止部１６にその表裏を貫通する肉抜き部１６ａを形成していたが、他の形状の肉抜き部１６ａを形成してもよい。例えば、係止部１６の張り出し部１６ｆに、その表裏を貫通しない窪み形状の肉抜き部を形成することで、弾性変形し易いようにしてもよい。また、係止部１６に設ける肉抜き部１６ａ及び連結支持部１６ｇの個数は適宜変更可能である。
【産業上の利用可能性】
【００２６】
本発明は、携帯電話等での通話をハンズフリーで行えるようにした通話用のヘッドセット等に利用可能である。
【図面の簡単な説明】
【００２７】
【図１】ヘッドセットの分解斜視図
【図２】（ａ）はヘッドセットの側面図であり、（ｂ）はヘッドセットの上面図
【図３】（ａ）は係止部の詳細な構造を示す図であり、（ｂ）は突出部の詳細な構造を示す図
【図４】係止部の回転状態を示す図
【図５】人体へのヘッドセットの装着状態を説明する図
【図６】（ａ）はヘッドセットが装着されたときの係止部の位置を説明する側面図であり、（ｂ）はヘッドセットが装着されたときの係止部、突出部及び本体部の位置を説明する部分断面図
【符号の説明】
【００２８】
１  筐体
２ａ  略平坦面
４  本体部
１１  レシーバジョイント（突出部）
１１ｃ  先端部
１２  バッテリ部
１３  無線通信部
１４  レシーバ部
１５  マイク部
１６  係止部
１６ａ  肉抜き部
１７  イヤパッド部
Ｏ  回転軸
【図１】
2008092356.tif 000003
【図２】
2008092356.tif 000004
【図３】
2008092356.tif 000005
【図４】
2008092356.tif 000006
【図５】
2008092356.tif 000007
【図６】
2008092356.tif 000008